(57)【要約】【課題】  本発明は、コストを上げることなく簡単に多数の突起４Ａを設けることができ、しかもこの多数の突起４Ａにより犯人等の制圧に極めて優れた効力を発揮できる刺股を提供するものである。【解決手段】  柄部２の先端に設けた分岐部１の外周面に、多数の突起４Ａを有する有刺線４を巻回止着して前記分岐部１の外周面に多数の突起４Ａを設けた刺股。【選択図】      図１
2006308171.tif 000002
【特許請求の範囲】
【請求項１】
柄部の先端に設けた分岐部の外周面に、多数の突起を有する有刺線を巻回止着して前記分岐部の外周面に多数の突起を設けた構成としたことを特徴とする刺股。
【請求項２】
前記柄部の外周面に前記有刺線を複数巻き巻回止着して、少なくともこの柄部の先端側の外周面に多数の突起を設けた構成としたことを特徴とする請求項１記載の刺股。
【請求項３】
前記有刺線を前記外周面に沿って所定の範囲に螺旋状に所定巻き巻回止着したことを特徴とする請求項１，２のいずれか１項に記載の刺股。
【発明の詳細な説明】
【技術分野】
【０００１】
本発明は、犯人等を捕捉するための刺股に関するものである。
【背景技術】
【０００２】
従来、警官等の捕捉者が、犯人等の被捕捉者の胴部等を壁や地面に押し付けて捕捉するための道具として、柄部の先端に二股状に分岐した分岐部を設けた刺股が用いられてきた。
【発明の開示】
【発明が解決しようとする課題】
【０００３】
しかし、上述した従来の刺股は、仮に犯人の胴部に分岐部を押し当てることができたとしても、犯人が暴れて抵抗したり、また、犯人が刺股の分岐部や柄部を掴んで抵抗することによって犯人の胴部に押し当てられた分岐部が外れ、犯人を捕捉する前に取り逃がしてしまうことが多く、完全に犯人を制圧して捕捉することが難しいといった問題があった。更に近年、小学校等の教育施設に不審者が侵入して凶悪な犯罪を引き起こす事件が増えていることから、自衛手段として刺股を配備する教育施設も増大しており、非力な女性であっても不審者を効果的に制圧できるような刺股が望まれている。
【０００４】
一方、この問題を解決するため、例えば刺股の分岐部や柄部の外周面に、例えば鋭利なピンを出来るだけ多く設けることにより、分岐部を胴部に押し当てられた際の犯人の抵抗を抑制したり、また、犯人が分岐部や柄部を掴んで抵抗することを困難にして、非力な女性でも効果的に犯人を制圧できる刺股が提案されているが、この刺股に設けられるピンは分岐部や柄部の外周面に１本づつ例えば溶接などにより止着されるものであるため、分岐部や柄部の外周面に多数のピンを設けようとすると１本毎に止着作業が必要となり製造が厄介で、量産性に劣り、コスト高となってしまう欠点があった。
【０００５】
本発明は上記の問題点を鑑みこれを解決したもので、コストを上げることなく簡単に多数の突起を設けることができ、しかもこの多数の突起により犯人等の制圧に極めて優れた効力を発揮できる刺股を提供するものである。
【課題を解決するための手段】
【０００６】
添付図面を参照して本発明の要旨を説明する。
【０００７】
柄部２の先端に設けた分岐部１の外周面に、多数の突起４Ａを有する有刺線４を巻回止着して前記分岐部１の外周面に多数の突起４Ａを設けた構成としたことを特徴とする刺股に係るものである。
【０００８】
また、前記柄部２の外周面に前記有刺線４を複数巻き巻回止着して、少なくともこの柄部２の先端側の外周面に多数の突起４Ａを設けた構成としたことを特徴とする請求項１記載の刺股に係るものである。
【０００９】
また、前記有刺線４を前記外周面に沿って所定の範囲に螺旋状に所定巻き巻回止着したことを特徴とする請求項１，２のいずれか１項に記載の刺股に係るものである。
【発明の効果】
【００１０】
本発明は上述のように構成したから、分岐部の外周面に多数の突起を有する有刺線を巻回止着するので、多数の突起がありながらも例えば僅かな箇所の止着で済み、コストを上げることなく簡単に分岐部の外周面に多数の突起を設けることができ、有刺線の例えば突起の間隔や形状あるいは有刺線の巻回の仕方の設定により分岐部の外周面に所望の数の突起を所望の位置に自在に設けることができ、しかもこの多数の突起が犯人等の被捕捉者の抵抗を抑制でき、従って、製造が容易で量産性に優れコスト安な上に被捕捉者の制圧に優れた効力を発揮できる刺股となる。
【００１１】
また、請求項２記載の発明によれば、柄部の外周面に多数の突起を有する有刺線を複数巻き巻回止着するので、コストを上げることなく簡単に柄部の外周面に多数の突起を設けることができ、また、この突起により犯人等の被捕捉者が柄部を掴んでこの分岐部から逃れることを抑制させることができ、従って、被捕捉者の制圧に一層優れた効力を発揮できるコスト安な刺股となる。
【００１２】
また、請求項３記載の発明によれば、有刺線を外周面に沿って所定の範囲に螺旋状に所定巻き巻回止着するので、例えば所定長さの有刺線を連続的に巻回してこれを数箇所止着する作業で極めて簡単に外周面の所定の範囲に突起を設けることができ、従って、製造が一層容易でより量産性に優れコスト安な刺股となる。
【発明を実施するための最良の形態】
【００１３】
好適と考える本発明の実施形態（発明をどのように実施するか）を、図面に基づいて本発明の作用を示して簡単に説明する。
【００１４】
刺股の柄部２の先端に設けた分岐部１に多数の突起４Ａを設けるに際し、この分岐部１の外周面に多数の突起４Ａを有する有刺線４を巻回止着することにより、分岐部１の外周面に多数の突起４Ａを形成する。
【００１５】
即ち、分岐部１の外周面に多数の突起４Ａを設けるに際し、分岐部１の外周面に例えば１本づつ溶接などによりピンを止着させて多数の突起４Ａを設けようとした場合、製造が厄介で、量産性に劣り、コスト高となってしまう場合があったが、この点本発明は、あらかじめ多数の突起４Ａを有する有刺線４を分岐部１の外周面に巻回することにより、分岐部１の外周面に多数の突起４Ａを設けることができ、しかもこの分岐部１の外周面に設けられた多数の突起４Ａの止着は、分岐部１の外周面に巻回した有刺線４を例えば数箇所溶接するだけで済み、よって製造が簡単で、量産性に優れ、コスト安となる。
【００１６】
また、本発明は、有刺線４の例えば突起４Ａの間隔や形状あるいは有刺線４の巻回の仕方の設定により分岐部１の外周面に所望の数の突起４Ａを所望の位置に設けることができる。
【００１７】
即ち、分岐部１の外周面に例えば１本づつ溶接などによりピンを止着させた場合、ピンの止着数や止着位置をピン１本毎に設定する必要があり厄介であるが、本発明は、有刺線４の例えば突起４Ａの間隔や形状あるいは有刺線４の巻回の仕方の設定により、突起４Ａの数や位置等は如何様にも設定することができる。例えば、有刺線４を市販品の中から適宜選択するようにすれば、コストを掛けることなく簡単に突起４Ａを所望の数や所望の位置に設けることができる。
【００１８】
また、本発明は、分岐部１を犯人等の被捕捉者に押し当てた際に多数の突起４Ａが被捕捉者の胴部に接触し、被捕捉者の抵抗を抑制させることができ、更に前記突起４Ａにより被捕捉者が分岐部を掴んでこの分岐部１から逃れることを抑制させることができ、被捕捉者の制圧に優れた効力を発揮する。
【実施例】
【００１９】
本発明の具体的な実施例について図面に基づいて説明する。
【００２０】
本実施例は、犯人等の被捕捉者を捕捉するために使用する刺股３である。
【００２１】
本実施例の刺股３は、図１に図示したように二股状に分岐した分岐部１が柄部２の先端に設けられると共に、前記分岐部１と柄部２に突起４Ａが設けられたものであり、以下に各部を詳しく説明する。
【００２２】
分岐部１は、適宜な素材で適宜な径に形成する。
【００２３】
分岐部１の形状は犯人等の被捕捉者の胴部を捕捉し易い半円形やＵ字形，Ｖ字形等の適宜な形状とする。具体的には本実施例の分岐部１は、ステンレスやアルミ合金等の棒筒状の金属パイプを半円形に湾曲させた構成としている。ステンレスやアルミ合金等を採用することで軽さと強度とを両立させることができる。また、棒筒状の金属パイプを採用することで中空が設けられない金属棒によりなる分岐部１と比してコストを安くできる。
【００２４】
柄部２は適宜な素材で適宜な径及び長さに形成する。
【００２５】
具体的には本実施例の柄部２はステンレスやアルミ合金等の金属パイプを採用した構成としている。ステンレスやアルミ合金等を採用することで、分岐部１と同様に、軽さと強度とを両立させることができる。また、棒筒状の金属パイプを採用することで、分岐部１と同様に、中空が設けられない金属棒によりなる柄部２と比してコストを安くできる。
【００２６】
尚、図中符号５は柄部２を握持する握持部５である。この握持部５は柄部２の中程及び基端部（分岐部１とは反対側の端部）に設けられる。また、この握持部５は柄部２を握持する際の滑りを防止するために滑り止め機能付きの握持部５としても良い。
【００２７】
前記分岐部１と前記柄部２とは、一体形成としても良く、また、別々に設けた分岐部１と柄部２とを適宜な手段により接合しても良い。
【００２８】
具体的には本実施例は、前記分岐部１と前記柄部２とを別々に設けた後、両部材を溶接により接合している。尚、両部材の接合は溶接以外の手段を用いても良い。このように別々に設けた後に溶接等の手段により接合する本実施例は、一体成形する場合と比して製造が容易である。
【００２９】
また、本実施例は、前記分岐部１に多数の突起４Ａを設けた構成としている。
【００３０】
更に、本実施例は、前記柄部２にも多数の突起４Ａを設けた構成としている。
【００３１】
具体的には本実施例の前記分岐部１の突起４Ａは、分岐部１の外周面全面に設けられた構成としている。分岐部１の外周面全面に突起４Ａを設けることで、分岐部１を押し当てた際に犯人等の被捕捉者の胴部に突起４Ａを当てることができると共に、被捕捉者が分岐部１を手などで掴むことが困難となるため、被捕捉者の制圧に優れた効力を発揮できる。
【００３２】
また、本実施例の前記柄部２の突起４Ａは、柄部２の先端側（分岐部が設けられる側の端部）の外周面の所定範囲に設けられた構成としている。柄部２の先端側に突起４Ａを設けることで、犯人等の被捕捉者が柄部２を手などで掴むことが困難となるため、被捕捉者の制圧に優れた効力を発揮できる。
【００３３】
前記突起４Ａは、多数の先鋭な突起４Ａが設けられた適宜な素材によりなる有刺線４を分岐部１の外周面に巻回止着することにより形成している。
【００３４】
具体的には、本実施例の有刺線４は、多数の先鋭な突起４Ａが設けられた有刺鉄線４を採用している。
【００３５】
本実施例の突起４Ａは、図２に図示したように分岐部１及び柄部２の外周面夫々に所定長さの有刺鉄線４を螺旋状に所定巻き巻回し、この所定巻き巻回した有刺鉄線４と前記外周面とを複数箇所溶接止着することにより形成される。
【００３６】
前記突起４Ａは、本実施例の所定長さの有刺鉄線４を螺旋状に所定巻き巻回することにより所定範囲に多数の突起４Ａを設ける方法以外にも、図３に図示したように、有刺鉄線４を１巻き巻回して１巻き毎に止着したものを多数設けることにより所定範囲に多数の突起４Ａを設ける構成としても良いが、有刺鉄線４を連続的に複数巻き巻回して所定範囲に多数の突起４Ａを設けながらも数箇所の止着で済む本実施例の方が、より製造が簡単で、量産性に優れ、コスト安となる。
【００３７】
また、本実施例の突起４Ａは、有刺鉄線４を巻回することにより、例えばピンを１本毎に溶接などにより止着する従来例では困難であった分岐部１及び柄部２の周方向及び軸方向への密な突起４Ａの形成が容易となる。即ち、有刺鉄線４に設けられる突起４Ａの間隔や形状あるいは有刺線４の巻回回数の設定により、分岐部１や柄部２の外周面の突起４Ａを周方向及び軸方向に密にも疎にも如何様な形状にも設けることができる。
【００３８】
例えば図４に図示したように、前記分岐部１の外周面に有刺鉄線４を巻回する際のピッチを広く設定して突起４Ａが疎に設けられた構成としても良い。尚、柄部２についても同様の構成とできることは勿論である。
【００３９】
また、例えば図５に図示したように、前記分岐部１の両端部の外周面の所定範囲のみに突起４Ａを設けた構成としても良い。
【００４０】
更に、本実施例の有刺鉄線４を市販品の種々な突起４Ａの間隔や形状を有するものの中から適宜選択するようにすれば、コストを掛けることなく簡単に突起４Ａを所望の数や所望の位置に設けることができる。
【００４１】
尚、有刺鉄線４と前記分岐部１や柄部２の外周面との止着は、本実施例の数箇所の溶接以外にも、有刺鉄線４と分岐部１や柄部２の外周面との接触する部分の全面溶接や、接着剤による接着、金具留め等、適宜な手段を採用できる。また、分岐部１や柄部２の外周面に有刺線４を巻回する際のガイドとなる凹溝を設け、この凹溝に有刺線４を嵌合係止した構成としても良い。
【００４２】
本実施例は上述のように構成したから、前記分岐部１や柄部２の外周面に所定長さの有刺鉄線４を螺旋状に所定巻き巻回して多数の突起４Ａを形成しながらも、この有刺鉄線４を数箇所溶接するだけの簡単な作業で容易に多数の突起４Ａを外周面に止着することができ、よって、従来の外周面にピンを例えば溶接などにより１本毎に止着する場合に比して製造が容易で、量産性に優れ、コスト安な刺股となる。
【００４３】
更に、本実施例は半円形に湾曲させた金属パイプによりなる分岐部１の外周面全面に突起４Ａが設けられると共に、柄部２の先端部に突起４Ａが設けられた構成とすることにより、分岐部１を押し当てられた犯人等の被捕捉者に突起４Ａを当接させることができ、これにより犯人等の抵抗を効果的に抑制させることができ、また、犯人等が分岐部１や柄部２を掴んで抵抗することを困難とすることができ、更に、本実施例は突起４Ａを先鋭な有刺鉄線４により設けた構成としたことにより、この有刺鉄線４が犯人等の被服に絡みついて、犯人等の逃走を防止する効果も有し、よって、犯人等の制圧に極めて優れた効力を発揮でき、人に危害を加える事を目的とした不審者等が侵入して凶悪な犯罪を引き起こす事件が増えている昨今、非力な女性であっても不審者等を効果的に制圧することができる刺股となる。
【００４４】
尚、本発明は、実施例に限られるものではなく、各構成要件の具体的構成は適宜設計し得るものである。
【図面の簡単な説明】
【００４５】
【図１】本実施例の斜視図である。
【図２】本実施例の要部の拡大正面図である。
【図３】本実施例の別例の要部の拡大正面図である。
【図４】本実施例の別例の斜視図である。
【図５】本実施例の別例の斜視図である。
【符号の説明】
【００４６】
１  分岐部
２  柄部
４  有刺線
４Ａ  突起
【図１】
2006308171.tif 000003
【図２】
2006308171.tif 000004
【図３】
2006308171.tif 000005
【図４】
2006308171.tif 000006
【図５】
2006308171.tif 000007